(57)【要約】【課題】  移動体がある放送エリアから別の放送エリアに進入するとき、当初選局していた放送局（チャンネル）の系列局で別のコンテンツ（番組）が放送されていた場合であっても、突然別の番組がモニタに表示されることを回避できる移動体用放送受信機を提供する。【解決手段】  移動体が境界エリアに侵入すると、第１の受信系統１２で選局されている放送局（チャンネル）の系列局の放送を第２の受信系統１３で受信し、ＥＰＧ処理部１５によって両放送から電子番組情報（ＥＰＧ）を取得する。そして、その電子番組情報に基づいて両放送の番組が同一番組であるか否かを判定し、同一番組である場合に出力切り換え部１６を制御して、チャンネルを系列局に切り換える。【選択図】    図１
2005311921.tif 000002
【特許請求の範囲】
【請求項１】
移動体に搭載される移動体用放送受信機であって、
第１の放送を受信する第１の受信手段と、
第２の放送を受信する第２の受信手段と、
該移動体の現位置を検出する位置検出手段と、
前記位置検出手段により検出された該移動体の現位置と各放送局の放送エリア情報に基づいて、前記第２の受信手段による前記第２の放送の受信を制御する受信制御手段と、
前記第１の受信手段によって受信される前記第１の放送と前記第２の受信手段によって受信される前記第２の放送それぞれから電子番組情報を取得する電子番組情報取得手段と、
前記電子番組情報処理手段によって取得された電子番組情報を比較し、前記第１の受信手段によって受信される前記第１の放送と前記第２の受信手段によって受信される前記第２の放送が同一番組であるか否かを判定する判定手段と、
前記第１の受信手段による前記第１の放送の受信状態と前記第２の受信手段による前記第２の放送の受信状態とを比較する比較手段と、
前記第１の受信手段によって受信される前記第１の放送と前記第２の受信手段によって受信される前記第２の放送が同一番組であると前記判定手段によって判定された場合に、前記比較手段の比較結果に基づいて受信状態の良い方の放送を選択する選択手段と、
を備えることを特徴とする移動体用放送受信機。
【請求項２】
請求項１記載の移動体用放送受信機であって、前記受信制御手段は、前記位置検出手段により検出された該移動体の現位置と各放送局の放送エリア情報に基づいて、前記第１の放送の放送局と同一系列の放送局の放送を受信するように前記第２の受信手段を制御することを特徴とする移動体用放送受信機。
【請求項３】
請求項１記載の移動体用放送受信機であって、前記第１の受信手段によって受信される前記第１の放送と前記第２の受信手段によって受信される前記第２の放送が同一番組ではないと前記判定手段によって判定された場合に、前記受信制御手段は、前記位置検出手段により検出された該移動体の現位置において受信可能な放送局の放送を順次受信するように前記第２の受信手段を制御することを特徴とする移動体用放送受信機。
【請求項４】
請求項２記載の移動体用放送受信機であって、前記第１の受信手段によって受信される前記第１の放送と前記第２の受信手段によって受信される前記第２の放送が同一番組ではないと前記判定手段によって判定された場合に、前記受信制御手段は、前記位置検出手段により検出された該移動体の現位置において受信可能な、前記第１の放送の放送局とは系列の異なる放送局の放送を、順次受信するように前記第２の受信手段を制御することを特徴とする移動体用放送受信機。
【請求項５】
請求項１ないし４のいずれかに記載の移動体用放送受信機であって、前記第１の受信手段によって受信される前記第１の放送と前記第２の受信手段によって受信される前記第２の放送が同一番組ではないと前記判定手段によって判定された場合に、前記第２の放送を選択するか否かを利用者が決定可能であることを特徴とする移動体用放送受信機。
【請求項６】
請求項１ないし４のいずれかに記載の移動体用放送受信機であって、前記第１の受信手段によって受信される前記第１の放送と前記第２の受信手段によって受信される前記第２の放送が同一番組ではないと前記判定手段によって判定された場合に前記第２の放送を選択する条件を利用者が設定可能であることを特徴とする移動体用放送受信機。
【発明の詳細な説明】
【技術分野】
【０００１】
本発明は、車輌等の移動体に搭載される移動体用放送受信機に関する。
【背景技術】
【０００２】
従来より、移動体がある放送エリアから他の放送エリアへ進入すると、当初選局していた放送局（チャンネル）と同一系列の放送局（以下、系列局と称す。）を自動的に選局する機能を持つチャンネル自動切換機能付き地上波デジタル放送受信機（移動体用放送受信機）が提案されている（例えば、特許文献１参照。）。
【０００３】
以下、この従来の移動体用放送受信機について説明する。
図６は従来の移動体用放送受信機の概略ブロック図を示す。
図６において、６０はテレビ受信機を示す。また、６１は該移動体の現位置を検出するナビゲーション装置を示す。テレビ受信機６０はナビゲーション装置６１と接続可能に構成されている。
【０００４】
ナビゲーション装置６１は該移動体の現位置を検出し、ナビゲーション情報として、該移動体の現位置を示す移動体位置情報、移動体の現位置に近い各放送局およびそれらの位置情報、各放送局のチャンネル情報（周波数情報）、各放送局の放送エリア情報、各放送局の境界エリア情報などの自動選局制御に必要な情報をテレビ受信機６０へ通知する。なお、境界エリアとは、ある放送局とその放送局の系列局の放送エリアが重なっているエリアを指す。したがって、現在選局している放送局の境界エリアに移動体が進入すると、その放送局の系列局の放送エリア（境界エリア）に進入したことになる。
【０００５】
６２は第１の受信系統を示す。第１の受信系統６２は、現在選局されている放送局の放送（ＴＳ：トランスポートストリーム）を受信する。６３は第２の受信系統を示す。第２の受信系統６３は、現在選局されている放送局の系列局の放送を受信する。６４は系統切り換え部を示す。系統切り換え部６４は、第１の受信系統６２と第２の受信系統６３によって受信される放送を選択的に切り換えてＴＳデコード部へ出力する。
【０００６】
６５はマイコンを示す。マイコン６５は、ナビゲーション装置６１からのナビゲーション情報および受信系統６２、６３内のビタビ符号部からの信号品質に関する情報に基づいて自動選局制御を行う。すなわち、マイコン６５は、現在選局している放送局の系列局の放送をナビゲーション情報を基に第２の受信系統６３に受信させるとともに、各ビタビ符号部からの信号品質に関する情報を比較して系統切り換え部６４に信号品質の良い方の放送（受信状態の良い方の受信系統）を選択させる。
【０００７】
次に、この従来の移動体用放送受信機の動作について説明する。
図７は従来の移動体用放送受信機の処理フローチャートを示す図である。
テレビ受信機６０のマイコン６５は、ナビゲーション装置６１からナビゲーション情報を取得し、現在選局している放送局の境界エリアに移動体が進入しているか否かを判断する（ステップＳ７１、Ｓ７２）。
【０００８】
移動体が境界エリアに進入すると、つまり移動体が現在選局されている放送局の系列局の放送エリアに進入すると、テレビ受信機６０のマイコン６５は、その系列局のチャンネル情報をナビゲーション情報から取得して（ステップＳ７３）、その系列局の放送を第２の受信系統６３に受信させる（受信開始：ステップＳ７４）。
【０００９】
そして、テレビ受信機６０のマイコン６５は、各受信系統６２、６３内のビタビ符号部からの信号品質に関する情報を比較することで各受信系統６２、６３における放送の受信状態の比較を行い、系統切り換え部６４に信号品質の良い方の放送を選択させ、受信系統を切り換える（ステップＳ７５、Ｓ７６）。
【００１０】
そして、テレビ受信機６０のマイコン６５は、選択された受信系統の受信状態が安定しているか否かを判断し、安定している場合には信号品質の劣る方の放送の受信（受信状態の劣る方の受信系統による受信）を停止させる（ステップＳ７７、Ｓ７８）。
【００１１】
このように、従来は、車輌等の移動体が放送エリアを跨いで移動をした場合であっても、引き続き同じ系列の放送局（チャンネル）を選局して、同じ番組を視聴できるようにしていた。しかしながら、放送エリアが隣接する同系列の放送局が必ずしも同一番組の放送を行っているとは限らず、別番組が放送されている場合もある。この場合、上記のように信号品質（受信状態）のみを考慮して自動的にチャンネルを切り換えると、突然別の番組がモニタ表示されることになり、利用者に不快感を与えることになる。
【特許文献１】特開２００１−２５１２２９号公報
【発明の開示】
【発明が解決しようとする課題】
【００１２】
本発明は、上記問題点に鑑み、移動体が境界エリアに侵入すると、現在選局している放送局（チャンネル）の系列局の放送も受信して、両放送から電子番組情報（ＥＰＧ）を取得し、その電子番組情報に基づいて両放送の番組が同一番組であるか否かを判定し、同一番組である場合にのみチャンネルを系列局に切り換えることにより、突然別の番組がモニタ表示されることを回避できる移動体用放送受信機を提供することを目的とする。
【課題を解決するための手段】
【００１３】
本発明の請求項１記載の移動体用放送受信機は、移動体に搭載される移動体用放送受信機であって、第１の放送を受信する第１の受信手段と、第２の放送を受信する第２の受信手段と、該移動体の現位置を検出する位置検出手段と、前記位置検出手段により検出された該移動体の現位置と各放送局の放送エリア情報に基づいて、前記第２の受信手段による前記第２の放送の受信を制御する受信制御手段と、前記第１の受信手段によって受信される前記第１の放送と前記第２の受信手段によって受信される前記第２の放送それぞれから電子番組情報を取得する電子番組情報取得手段と、前記電子番組情報処理手段によって取得された電子番組情報を比較し、前記第１の受信手段によって受信される前記第１の放送と前記第２の受信手段によって受信される前記第２の放送が同一番組であるか否かを判定する判定手段と、前記第１の受信手段による前記第１の放送の受信状態と前記第２の受信手段による前記第２の放送の受信状態とを比較する比較手段と、前記第１の受信手段によって受信される前記第１の放送と前記第２の受信手段によって受信される前記第２の放送が同一番組であると前記判定手段によって判定された場合に、前記比較手段の比較結果に基づいて受信状態の良い方の放送を選択する選択手段と、を備えることを特徴とする。
【００１４】
本発明の請求項２記載の移動体用放送受信機は、請求項１記載の移動体用放送受信機であって、前記受信制御手段は、前記位置検出手段により検出された該移動体の現位置と各放送局の放送エリア情報に基づいて、前記第１の放送の放送局と同一系列の放送局の放送を受信するように前記第２の受信手段を制御することを特徴とする。
【００１５】
本発明の請求項３記載の移動体用放送受信機は、請求項１記載の移動体用放送受信機であって、前記第１の受信手段によって受信される前記第１の放送と前記第２の受信手段によって受信される前記第２の放送が同一番組ではないと前記判定手段によって判定された場合に、前記受信制御手段は、前記位置検出手段により検出された該移動体の現位置において受信可能な放送局の放送を順次受信するように前記第２の受信手段を制御することを特徴とする。
【００１６】
本発明の請求項４記載の移動体用放送受信機は、請求項２記載の移動体用放送受信機であって、前記第１の受信手段によって受信される前記第１の放送と前記第２の受信手段によって受信される前記第２の放送が同一番組ではないと前記判定手段によって判定された場合に、前記受信制御手段は、前記位置検出手段により検出された該移動体の現位置において受信可能な、前記第１の放送の放送局とは系列の異なる放送局の放送を、順次受信するように前記第２の受信手段を制御することを特徴とする。
【００１７】
本発明の請求項５記載の移動体用放送受信機は、請求項１ないし４のいずれかに記載の移動体用放送受信機であって、前記第１の受信手段によって受信される前記第１の放送と前記第２の受信手段によって受信される前記第２の放送が同一番組ではないと前記判定手段によって判定された場合に、前記第２の放送を選択するか否かを利用者が決定可能であることを特徴とする。
【００１８】
本発明の請求項６記載の移動体用放送受信機は、請求項１ないし４のいずれかに記載の移動体用放送受信機であって、前記第１の受信手段によって受信される前記第１の放送と前記第２の受信手段によって受信される前記第２の放送が同一番組ではないと前記判定手段によって判定された場合に前記第２の放送を選択する条件を利用者が設定可能であることを特徴とする。
【発明の効果】
【００１９】
以上のように、本発明によれば、移動体がある放送エリアから別の放送エリアに進入するとき、当初選局していた放送局（チャンネル）の系列局で別のコンテンツ（番組）が放送されていた場合であっても、突然別の番組がモニタ表示されることを回避でき、視聴中の番組が突然別の番組に切り換わるという不快感を利用者（視聴者）に与えずに済む。
【発明を実施するための最良の形態】
【００２０】
以下、本発明の実施の形態について、図面を参照しながら説明する。
（実施の形態１）
本実施の形態１では、第１、第２の受信系統（第１、第２の受信手段）によって受信されるデジタルテレビ放送を、信号品質（受信状態）のみを考慮して自動的に切り換えるのではなく、デジタルテレビ放送に含まれる電子番組情報（ＥＰＧ）を取得し、番組タイトルなどの番組の内容に関する情報に基づいて、第１の受信系統で受信している放送と第２の受信系統で受信している放送が同一番組であるか否かを判定し、同一番組である場合にのみ自動的に切り換えることにより、突然別の番組がモニタに表示されることを回避している。
【００２１】
図１は本実施の形態１における移動体用放送受信機の一例である地上波デジタル放送受信機の概略ブロック図を示す。
図１において、１０はテレビ受信機を示す。また、１１は該移動体の現位置を検出するナビゲーション装置（位置検出手段）を示す。テレビ受信機１０はナビゲーション装置１１と接続可能に構成されている。
【００２２】
ナビゲーション装置１１は、図６に示すナビゲーション装置６１と同様に、該移動体の現位置を検出し、ナビゲーション情報として、該移動体の現位置を示す移動体位置情報、移動体の現位置に近い各放送局およびそれらの位置情報、各放送局のチャンネル情報（周波数情報）、各放送局の放送エリア情報、各放送局の境界エリア情報などの自動選局制御に必要な情報をテレビ受信機１０へ通知する。なお、ナビゲーション装置は、該移動体の現位置を検出し、ナビゲーション情報として移動体位置情報のみを通知する構成でもよい。この場合、その他の情報はテレビ受信機１０自身が保持する。
【００２３】
１２は第１の放送（ＴＳ：トランスポートストリーム）を受信する第１の受信系統（第１の受信手段）を示す。第１の受信系統１２は、現在選局されている放送局の放送を受信する。１３は第２の放送を受信する第２の受信系統（第２の受信手段）を示す。
【００２４】
１４はＴＳデコード部を示す。ＴＳデコード部１４は、第１、第２の受信系統１２、１３で受信される第１、第２の放送（ＴＳ）をデコード処理する。１５はＥＰＧ処理部（電子番組情報取得手段）を示す。ＥＰＧ処理部１５は、第１の受信系統１２によって受信される第１の放送と第２の受信系統１３によって受信される第２の放送（ＴＳデコード部１４によってデコード処理された各トランスポートストリーム）それぞれから電子番組情報（ＥＰＧ）を取得する。
【００２５】
１６は出力切り換え部を示す。出力切り換え部１６は、第１、第２の受信系統１２、１３によって受信される放送（ＴＳデコード部１４によってデコード処理された各トランスポートストリーム）を選択的に切り換えて出力する。１７はモニタを示す。モニタ１７は、出力切り換え部１６から出力される放送を表示する。
【００２６】
１８はマイコンを示す。マイコン１８は、ナビゲーション装置１１から通知される移動体位置情報、移動体の現位置に近い各放送局およびそれらの位置情報、各放送局のチャンネル情報、各放送局の放送エリア情報、各放送局の境界エリア情報に基づいて、現在第１の受信系統１２で受信している放送局（現在選局している放送局）の系列局の放送を受信するように第２の受信系統１３を制御する受信制御手段の機能を備える。具体的には、移動体が現在選局している放送局の境界エリアに進入したときに、系列局の放送を第２の受信系統１３において選局するための選局信号を第２の受信系統内の受信回路に出力する。なお、境界エリアに進入したか否かの判断には、少なくとも移動体位置情報と各放送局の放送エリア情報があればよい。
【００２７】
また、マイコン１８は、ＥＰＧ取得部１５が取得した電子番組情報中の番組タイトルなどの各番組の内容に関する情報を比較し、第１の受信系統１２によって受信される第１の放送（現在選局している放送局の放送）と第２の受信系統１３によって受信される第２の放送（現在選局している放送局の系列局の放送）が同一番組であるか否かを判定する判定手段の機能を備える。
【００２８】
また、マイコン１８は、第１、第２の受信系統１２、１３内のビタビ符号部からの信号品質に関する情報に基づいて、第１の受信系統１２による第１の放送の受信状態と第２の受信系統１３による第２の放送の受信状態とを比較する比較手段の機能を備える。
【００２９】
また、マイコン１８は、第１の受信系統１２によって受信される第１の放送と第２の受信系統１３によって受信される第２の放送が同一番組である場合に、第１の受信系統１２による第１の放送の受信状態と第２の受信系統１３による第２の放送の受信状態の比較結果に基づいて受信状態の良い方の放送を出力切り換え部１６に選択させる選択手段の機能も備える。
【００３０】
次に、この移動体用放送受信機の動作について説明する。
図２は本実施の形態１における移動体用放送受信機の処理フローチャートを示す図である。
【００３１】
テレビ受信機１０のマイコン１８は、ナビゲーション装置１１からナビゲーション情報を取得し、現在選局している放送局の境界エリアに移動体が進入しているか否かを判断する（ステップＳ２１、Ｓ２２）。境界エリアに進入していない場合には再びステップＳ２１の処理を繰り返す。
【００３２】
移動体が境界エリアに進入すると、つまり移動体が現在選局されている放送局の系列局の放送エリアに進入すると、テレビ受信機１０のマイコン１８は、その系列局のチャンネル情報をナビゲーション情報から取得して（ステップＳ２３）、その系列局の放送を第２の受信系統１３に受信させる（受信開始：ステップＳ２４）。
【００３３】
ＴＳデコード部１４は、第１、第２の受信系統１２、１３で受信している放送（ＴＳ）にデコード処理を施し、ＥＰＧ処理部１５は、デコード処理された放送から電子番組情報（ＥＰＧ）を取得してマイコン１８へ出力する（ステップＳ２５、２６）。
【００３４】
テレビ受信機１０のマイコン１８は電子番組情報から第１、第２の受信系統１２、１３で受信している放送の内容に関する情報（番組タイトル等）を取得して、同一番組であるか否かを判定する（ステップＳ２７）。同一番組ではない場合、ナビゲーション情報の取得処理へ戻る（ステップＳ２１）。
【００３５】
同一番組である場合、テレビ受信機１０のマイコン１８は、各受信系統１２、１３内のビタビ符号部からの信号品質に関する情報を比較することで各受信系統１２、１３における放送の受信状態の比較を行い、出力切り換え部１６に信号品質の良い方の放送（受信状態の良い方の受信系統）を選択させ、受信系統を切り換える（ステップＳ２８、Ｓ２９）。
【００３６】
そして、テレビ受信機１０のマイコン１８は、選択された受信系統の受信状態が安定しているか否かを判断し、安定している場合に、信号品質の劣る方の放送の受信（受信状態の劣る方の受信系統による受信）を停止させる（ステップＳ３０、Ｓ３１）。なお、選択された受信系統が次の第１の受信系統（第１の受信手段）になる。
【００３７】
以上のように、第１の受信系統で受信している放送と第２の受信系統で受信している放送が同一番組の場合にのみ、自動的に受信系統の切り換えを行うので、突然別の番組がモニタに表示されることを回避できる。
【００３８】
また、図３に示すように、第１の受信系統１２で受信している放送と第２の受信系統１３で受信している放送が同一番組ではない場合に（ステップＳ２７のＮｏ）、テレビ受信機１０のマイコン１８が、移動体の現位置（移動体位置情報）と各放送局の放送エリア情報に基づいて、進入した放送エリア（移動体の現位置）において受信可能な他の放送局のチャンネル情報をナビゲーション情報から取得し、そのチャンネル（放送局）の放送を受信するように第２の受信系統１３を制御して（ステップＳ３２、Ｓ２４）、同一番組であるか否かの判定処理（ステップＳ２７）を繰り返すようにしてもよい。
【００３９】
このようにすれば、第２の受信系統において系列局以外の他の放送局の放送も受信可能となり、移動体の現位置で受信し得る全放送の中から同一番組を検索することが可能となる。したがって、民放キー局のすべての系列局が存在しないエリアに対しても自動選局処理（制御）が可能となる。
【００４０】
（実施の形態２）
続いて、本発明の実施の形態２について、図面を参照しながら説明する。本実施の形態２における移動体用放送受信機は、第１の受信系統１２によって受信される第１の放送と第２の受信系統１３によって受信される第２の放送が同一番組ではないと判定された場合に、第２の放送を選択するか否かを利用者が決定できる機能（例えば、選択画面表示機能など）を備える点が、前述した実施の形態１と異なる。
【００４１】
以下、この移動体用放送受信機の動作について説明する。
図４は本実施の形態２における移動体用放送受信機の処理フローチャートを示す図である。
【００４２】
まず、第１の受信系統１２で受信している放送と第２の受信系統１３で受信している放送が同一番組であるか否かを判定するまでの処理（ステップＳ２１〜Ｓ２７）は、前述した実施の形態１と同様である。
【００４３】
同一番組ではないと判定された場合、テレビ受信機１０のマイコン１８は、モニタ１７にチャンネル切り換え選択画面を表示させ、利用者にチャンネル（つまり受信系統）を切り換えるか否かを問う（ステップＳ４０）。利用者はこの画面に従ってチャンネルを切り換えるか否か（受信系統を切り換えるか否か）を判断し、例えば決定ボタンの押下によってマイコン１８に指示を与える。
【００４４】
切り換えない場合、ナビゲーション情報の取得処理へ戻る（ステップＳ２１）。なお、この場合、上述したように、移動体の現位置で受信可能な他の放送局の放送を自動的に選局していくようにしてもよい。
【００４５】
現在選局している放送（チャンネル）から第２の受信系統で受信している放送に切り換える場合、テレビ受信機１０のマイコン１８は出力切り換え部１６を制御して受信系統を切り換え、モニタ１７に第２の受信系統で受信している放送を表示させる（ステップＳ４１）。
【００４６】
以上のように、進入する放送エリアに現在視聴中の番組が放送されていない場合に、別の放送（番組）に切り換えるか否かを利用者に決定させることができるので、突然別の番組がモニタに表示されることを回避できる。
【００４７】
また、第１の受信系統によって受信される第１の放送と第２の受信系統によって受信される第２の放送が同一番組ではないと判定された場合に第２の放送（第２の受信系統）を選択する条件を利用者が設定できる機能（例えば、設定画面表示機能など）を備えるようにしてもよい。例えば、図５に示すように、初期設定時にその条件を設定し、この条件（初期設定）に従って出力切り換え部１６を制御して受信系統の切り換えを行っても（ステップＳ５０、Ｓ５１）、同様の効果を得ることが可能である。
【００４８】
以上のように、実施の形態１、２によれば、移動体がある放送エリアから別の放送エリアに進入するとき、当初選局していた放送局（チャンネル）の系列局で別のコンテンツ（番組）が放送されていた場合であっても、突然別の番組がモニタに表示されることを回避でき、視聴中の番組が突然別の番組に切り換わるという不快感を利用者（視聴者）に与えずに済む。なお、実施の形態１、２では、まず最初に第１の受信系統で選局されている放送局の系列局の放送を第２の受信系統に受信させたが、無論、これに限るものではない。
【産業上の利用可能性】
【００４９】
本発明にかかる移動体用放送受信機は、移動体がある放送エリアから別の放送エリアに進入するとき、当初選局していた放送局（チャンネル）の系列局で別のコンテンツ（番組）が放送されていた場合であっても、突然別の番組がモニタに表示されることを回避でき、視聴中の番組が突然別の番組に切り換わるという不快感を利用者（視聴者）に与えずに済むので、車載テレビやモバイルテレビの地上波デジタル放送受信機として有用である。
【図面の簡単な説明】
【００５０】
【図１】本発明の実施の形態１における移動体用放送受信機の概略ブロック図
【図２】本発明の実施の形態１における移動体用放送受信機の処理フローチャートを示す図（その１）
【図３】本発明の実施の形態１における移動体用放送受信機の処理フローチャートを示す図（その２）
【図４】本発明の実施の形態２における移動体用放送受信機の処理フローチャートを示す図（その１）
【図５】本発明の実施の形態２における移動体用放送受信機の処理フローチャートを示す図（その２）
【図６】従来の移動体用放送受信機の概略ブロック図
【図７】従来の移動体用放送受信機の処理フローチャートを示す図
【符号の説明】
【００５１】
１０、６０      テレビ受信機
１１、６１      ナビゲーション装置
１２、６２      第１の受信系統
１３、６３      第２の受信系統
１４      ＴＳデコード部
１５      ＥＰＧ処理部
１６      出力切り換え部
１７      モニタ
１８、６５      マイコン
６４      系統切り換え部
【図１】
2005311921.tif 000003
【図２】
2005311921.tif 000004
【図３】
2005311921.tif 000005
【図４】
2005311921.tif 000006
【図５】
2005311921.tif 000007
【図６】
2005311921.tif 000008
【図７】
2005311921.tif 000009